(57)【要約】      （修正有）【課題】バスルームや洗面所等の壁面に安定的に吸着され、石鹸の厚みに対応して収納できるとともに、片手のワンタッチ操作で簡単に石鹸を掌に滑り落とすことができ、華やかな装飾性を有する石鹸ホルダーを提供する。【解決手段】平面視逆凹状で背板１１の上部背面に一対の吸盤１４が配設されたホルダー本体１と、該ホルダー本体１の前方で上下に渡って設けた開口部１２に前後調節自在に軸支されるとともに、装飾手段を有して位置決め被蓋される前蓋２と、ホルダー本体１の抜き溝１６に押出し片３３をのぞませ、下方の両抜き穴１７より出入する一対の受け座３４を突設し、下端に舌片３５をせり出したレバー本体が、その二股状の接合片において、背面に対設した接合部１９の各Ｔスロットに挿し込まれて熱溶着される開放レバー３とから成る。【選択図】図２
0003167787.tif 000002
【実用新案登録請求の範囲】
【請求項１】
背板の前方で上下に渡り開口部を設け、その左右にそれぞれ前方に向けて側板を突設し、背板の背面上方に吸盤を突設し、背板の中央で下方寄りには上下に渡る抜き溝を設け、下端部には該抜き溝を挟んで一対の抜き穴を設け、背板の背面で前記吸盤の下方には一対の位置決め脚が突設された平面視逆凹状のホルダー本体と、該ホルダー本体の両側板にその左右を回動自在に軸支され、下端に前記背板に向けて間隔保持片を突設した前蓋と、背板の背面の接合部に二股状の接合片が係着され、前記抜き溝より弾発力を介在させた押出し片を出入自在に配設するとともに、その下方で前記各抜き穴より前方へ突出する受け座が対設され、該受け座の下方に舌片をせり出した開放レバーとから成る石鹸ホルダーにおいて、
前記吸盤が背板の背面左右に対設され、前記前蓋がその要所に装飾手段を配設するとともに、前記ホルダー本体の両側板に対して、前後方向の複数個所の要所で回動自在に軸支されて成る石鹸ホルダー。
【請求項２】
前記背板の背面の各接合部がＴスロットから成り、該Ｔスロットにレバー本体の二股状の各接合片が挿し込まれ、熱溶着されてホルダー本体の背板と開放レバーのレバー本体とが一体化されて成る請求項１記載の石鹸ホルダー。
【考案の詳細な説明】
【技術分野】
【０００１】  本考案はバスルームや化粧室、洗面所等の壁面に吸着させて使用される石鹸ホルダーに関する。
【背景技術】
【０００２】  従来の石鹸入れや磁石を利用した石鹸ホルダーの欠点を解決できる石鹸ホルダーを特開２００５−２３７９１２号公報（特許文献１）に提案した者であるが、該特許文献１の技術には、使用上の安定性や利便性及び製造上の更なる改善点を内在するものであった。
【先行技術文献】
【特許文献】
【０００３】
【特許文献１】  特開２００５−２３７９１２号公報
【考案の概要】
【考案が解決しようとする課題】
【０００４】  本考案は上記に鑑みて、ホルダー本体が安定的に壁面等に吸着され、装飾性を伴って使用する雰囲気を明るくし、収納する石鹸に広範に対応でき、かつ、製造上の構造を簡易化して製造コストを低減できる石鹸ホルダーを提供するものである。
【課題を解決するための手段】
【０００５】  本考案の請求項１に記載した石鹸ホルダーは、背板の前方で上下に渡り開口部を設け、その左右にそれぞれ前方に向けて側板を突設し、背板の背面上方に吸盤を突設し、背板の中央で下方寄りには上下に渡る抜き溝を設け、下端部には該抜き溝を挟んで一対の抜き穴を設け、背板の背面で前記吸盤の下方には一対の位置決め脚が突設された平面視逆凹状のホルダー本体と、該ホルダー本体の両側板にその左右を回動自在に軸支され、下端に前記背板に向けて間隔保持片を突設した前蓋と、背板の背面の接合部に二股状の接合片が係着され、前記抜き溝より弾発力を介在させた押出し片を出入自在に配設するとともに、その下方で前記各抜き穴より前方へ突出する受け座が対設され、該受け座の下方に舌片をせり出した開放レバーとから成る石鹸ホルダーにおいて、
前記吸盤が背板の背面左右に対設され、前記前蓋がその要所に装飾手段を配設するとともに、前記ホルダー本体の両側板に対して、前後方向の複数個所の要所で回動自在に軸支されて成る。
また、請求項２に記載した石鹸ホルダーは、請求項１に記載した石鹸ホルダーにおいて、
前記背板の背面の各接合部がＴスロットから成り、該Ｔスロットにレバー本体の二股状の各接合片が挿し込まれ、熱溶着されてホルダー本体の背板と開放レバーのレバー本体とが一体化されて成る。
【考案の効果】
【０００６】  本考案の石鹸ホルダーによれば、一対の吸盤によってホルダー本体が安定的に保持され、ホルダー本体に対して前蓋が装飾手段を有するから使用される雰囲気が明るくなり、しかも、前後調節自在であるから石鹸の厚み方向で広範に対応でき、かつ、ホルダー本体の背板と開放レバーのレバー本体との接合構造が簡易化されて、製造コストが低減されるなどの各効果を奏する。
【図面の簡単な説明】
【０００７】
【図１】本考案の石鹸ホルダーＡの正面図。
【図２】図１の要部を破断した右側面図。
【図３】図１の背面図。
【図４】ホルダー本体１の側板１３の部分説明図。
【図５】図３のＡ−Ａ線におけるＢ−Ｂ矢視部分拡大断面図。
【考案を実施するための形態】
【０００８】  ホルダー本体の背板の背面に対設される接合部のＴスロットは、ストレート状のものから、先細りテーパ状のもので位置決めし易くするものも選択され、また、位置決め脚は、開放レバーの舌片を手の甲で押し込んだときの外力によるホルダー本体の動きを規制するものであるが、吸盤の吸着に支障を来たすことのない長さが求められ、その形状は截頭角錐台のものから円錐台などである。また、前蓋に配設される装飾手段はブラシなどによる洗浄が容易な打ち抜きの花びら模様やハートやクローバーなどの幾何図形などである。なお、背板の縦断面を抜き溝の下端から前方方向へ（見る方向では、くの字状に）傾斜させることによって、ホルダー本体が吸着される壁面との空間を広く取れば、開放レバーの動作範囲が広く確保され、石鹸を掌に受け止め易く滑り落とすことができる。
【実施例】
【０００９】  本考案の石鹸ホルダーＡを実施例により具体的に説明すると、このものは図１に示すように、射出成形によって成形される合成樹脂製の各ホルダー本体１と、該ホルダー本体１の前面に設けられる前蓋２と、開放レバー３とから成り、ホルダー本体１は背板１１の前方で上下に渡り開口部１２を設け、その左右にそれぞれ前方に向けて側板１３を突設し、該側板１３には図４に示すように、前後方向の３個所にピン挿通孔１３ａを開口し、背板１１の背面上方には一対の吸盤１４を瓢箪形の取付け孔１５より着脱自在に突設し、背板１１の中央で下方寄りには所要長さで上下に渡る抜き溝１６を欠切し、下端部には該抜き溝１６を挟んで一対の抜き穴１７を配設し、背板１１の背面で両吸盤１４の下方には一対の位置決め脚１８が突設されて平面視逆凹状を呈するものであり、前蓋２はホルダー本体１の両側板１３の内幅に収まる幅の蓋本体２１の重心位置より上方で両側から後方へ張り出した各アーム２２が設けられ、各アーム２２の突端部にはそれぞれ外方に向けて前記のピン挿通孔１３ａに回動自在に軸支されるピン２３を横設し、蓋本体２１の前面要所には装飾手段としての花びら模様２１ａが打ち抜かれ、蓋本体２１の下端には背板１１に向けて所定間隔に保持できる間隔保持片２４を突設して成り、開放レバー３は図５に示すように、レバー本体３１の二股状の接合片３２の上端が、背板１１の背面の接合部１９に設けたＴスロット１９ａに押し込まれて一体に熱溶着状態で接合されるとともに、前幅が背板１１の背面に凹設された浅溝１１ａに収められ、かつ、レバー本体３１の上部前面中央には図３に示すように、前記抜き溝１６に収まる幅で該抜き溝１６の下端近傍からその上端に向けて、片持ち状にして上に富士山形に湾曲形成した押出し片３３を、その表面が背板１１の表面と面一となるように配設するとともに、その下方で前記各抜き穴１７より前方へ突出する受け座３４が対設され、該受け座３４の下方には前方にせり出し状の舌片３５を設けて成る。なお、前蓋２の蓋本体２１に設けられる装飾手段としては、前記の花びら模様２１ａのほか、仮想線で示すようにハート等の幾何図形なども好適なものとして選択される。【００１０】  このようにして背板１１の背面に対設した両接合部１９のＴスロット１９ａにレバー本体３１の二股状の接合片３２の上端を一体にし、押出し片３３を抜き溝１６にのぞませ、その下方に対設した受け座３４をそれぞれホルダー本体１の背板１１に設けた抜き穴１７より所要長突出する姿勢で開放レバー３はホルダー本体１に添設され、ホルダー本体１は図４に示すように、その両側板１３に開口された３個のピン挿通孔１３ａの選択された適所（本実施例では中央）に、その両内面側から拡幅状に挿し込まれた蓋本体２１のアーム２２に横設されたピン２３を係合して、前蓋２を回動自在に軸支して成る。
したがって、ホルダー本体１の背板１１の下方のせり出し屈曲部１１ｂになじんで、その下端より舌片３５をせり出して開放レバー３が添設されたホルダー本体１は、せり出し屈曲部１１ｂの表面に、蓋本体２１の下端に設けた間隔保持片２４の突端を受け止めた状態で使用されるものである。【００１１】  このようにして成る石鹸ホルダーＡは、バスルームや化粧室、洗面所等の壁面（図外）に一対の吸盤１４の吸着によって取り付けられ、仮想線で示すように、石鹸Ｓがホルダー本体１の開口部１２に収納され、その下端が開放レバー３の受け座３４に受け止められて使用される。
この状態から石鹸Ｓを取り出すときは、図１の仮想線で示すように、掌Ｈを上に向けて手の甲で開放レバー３の舌片３５を壁面側に押し込むと、レバー本体３１はホルダー本体１の背板１１の接合部１９の下方で、二股状の接合片３２の弾性変形によって後退し、同時に押出し片３３が背板１１の抜き溝１６より突出して石鹸Ｓを押し出すとともに、石鹸Ｓの下端を支えていた受け座３４が後退することによって、石鹸Ｓは自重で前蓋２の内面に沿って開口部１２から落下し、このとき、前蓋２は仮想線で示すように、ピン挿通孔１３ａを中心に跳ね上げられて、石鹸Ｓは掌Ｈに受け止められる。石鹸Ｓがホルダー本体１の開口部１２から落下して手の甲による開放レバー３の押し込みが解除されると、レバー本体３１の上部の二股状の接合片３２の弾性復元力によって開放レバー３は元の位置に戻り、図２に示す姿勢となる。
このように、片手のワンタッチ動作でホルダー本体１から石鹸Ｓを安定的に取り出しできるから、極めて便利である。なお、開放レバー３のレバー本体３１が押し込まれたとき、押圧力がホルダー本体１の背板１１に負荷されるが、このとき、背板１１の背面に対設した位置決め脚１８が壁面に当接して、吸盤１４の吸着面への不要な変形が防止され、安定した吸着力が保持される。
このほか、ホルダー本体１と開放レバー３との接合も射出成形の造形に適した簡易構造によるものであるから、製造コストも低減される上、ホルダー本体１の両側板１３と前蓋２のアーム２２との接合もピン挿通孔１３ａの選択によって、ホルダー本体１の開口部１２の奥行を広狭自在に調節できるから、収納される石鹸Ｓの厚みに対して広範に対応できるものである。
【産業上の利用可能性】
【００１２】  本考案の石鹸ホルダーは、各種のバスルームや化粧室、洗面所等の付属品として広く利用され、利便性に優れたものであるから、日用品製造業界及び合成樹脂の射出成形業界に多大に貢献できるものである。
【符号の説明】
【００１３】１  ホルダー本体
１１  背板
１１ａ  浅溝
１１ｂ  せり出し屈曲部
１２  開口部
１３  側板
１３ａ  ピン挿通孔
１４  吸盤
１５  取付け孔
１６  抜き溝
１７  抜き穴
１８  位置決め脚
１９  接合部
１９ａ  Ｔスロット
２  前蓋
２１  蓋本体
２１ａ  花びら模様
２２  アーム
２３  ピン
２４  間隔保持片
３  開放レバー
３１  レバー本体
３２  接合片
３３  押出し片
３４  受け座
３５  舌片
Ｈ  掌
Ｓ  石鹸
Ａ  石鹸ホルダー
【図１】
0003167787.tif 000003
【図２】
0003167787.tif 000004
【図３】
0003167787.tif 000005
【図４】
0003167787.tif 000006
【図５】
0003167787.tif 000007